(57)【要約】  本発明は、好ましくはカテーテル延長部を閉じるための、ホースクランプに関し、ホースクランプは、細長く延びる一体のプラスチックボディを備え、端部で互いに弾性的に連結され、且つ各々、突出部を形成する２本のアームを有し、突出部は、ホースクランプの閉じた状態で、互いに向かい合って配置され、且つ閉じた状態で互いにフック止めすることができ、前端部および後端部に、ホースの受け入れのための開口部が設けられている。本発明によれば、ホースクランプは、実質的に、両側部で両端に向って円錐形状にテーパした、切断側部を有する円筒形状を有し、端部は、挿入されるべきホースの円形形状に適合されている。【選択図】図１
2008528215.tif 000002
【特許請求の範囲】
【請求項１】
好ましくはカテーテル延長部を閉じるための、ホースクランプであって、
細長く延びる一体のプラスチックボディを備え、該ボディは、
端部で互いに弾性的に連結され、且つ各々、突出部を形成する２本のアームを有し、突出部は、ホースクランプの閉じた状態で、互いに向かい合って配置され、且つ閉じた状態で互いにフック止めすることができ、前端部および後端部に、ホースの受け入れのための開口部が設けられている、前記ホースクランプにおいて、
ホースクランプは、実質的に、両側部で両端に向って円錐形状にテーパした、切断側部を有する円筒形状を有し、
端部は、挿入されるべきホースの円形形状に適合されている、
ことを特徴とするホースクランプ。
【請求項２】
全ての縁領域は丸い、請求項１に記載のホースクランプ。
【請求項３】
ホースクランプの長さが、ホース直径の１０倍を超えない、請求項１または２に記載のホースクランプ。
【請求項４】
丸いプラスチックボディの半径は、Ｒ２０とＲ１００との間にある、請求項１乃至３のいずれか１項に記載のホースクランプ。
【請求項５】
プラスチックボディは、長手方向軸線に対して５度乃至４０度の角度で、端部に向って延びる、請求項１乃至４のいずれか１項に記載のホースクランプ。
【請求項６】
閉じた状態でのホースクランプの最も外側の点は、挿入されるべきホースの中心から、ホース直径の最大２倍離れている、請求項１乃至５のいずれか１項に記載のホースクランプ。
【請求項７】
把持面が、両方のアームの外面に、切り取り形成される、請求項１乃至６のいずれか１項に記載のホースクランプ。
【請求項８】
フック止め機構が、一方では、ホースクランプの端部で、アームの自由端に面する突出部によって、他方では、アームの自由端に形成された接触縁によって、形成される、請求項１乃至７のいずれか１項に記載のホースクランプ。
【請求項９】
把持面は、ホースクランプの自由端で、突出部の上に形成され、把持面によって、ホースクランプの弾性端を、掛け止め位置から解放位置へ偏向させることができる、請求項８に記載のホースクランプ。
【発明の詳細な説明】
【技術分野】
【０００１】
本発明は、好ましくは、請求項１の前文による、カテーテル延長部を閉じるためのホースクランプに関する。
【背景技術】
【０００２】
このタイプのホースクランプは、既に知られている。かくして、例えば、欧州特許出願公開第０９９５４６１号は、細長く延び、且つ端部で互いに連結された２本のアームを有する、一体のプラスチックボディを備えるホースクランプを記載する。２本のアームは各々、それらの内側に、突出部を形成し、突出部は、ホースクランプの閉じた状態で、互いに向かい合って配置され、且つ突出部がホースを挟みつぶすように寸法決めされている。両方のアームは、閉じた状態で、互いにフック止めすることができる。ホースクランプは、前端部および後端部に、それぞれ開口部を有し、これら開口部を通して、ホース、例えば、カテーテル延長部を受け入れることができる。
【０００３】
このようなホースクランプが、例えば、腹膜透析の分野で、カテーテル延長部に用いられる。クランプは、患者の腹部コネクタに配置され、腹部コネクタに配置されたカテーテル延長部の開閉に役立つ。クランプは、患者の皮膚と常に接触しているので、一般的にこの使用に適した、既に知られたクランプおよびその他の商業的に入手可能なクランプに存在する、バリおよびエッジのため、皮膚の刺激がしばしば起こる。サイズおよび形状もまた、患者に刺激として知覚される。
【発明の開示】
【発明が解決しようとする課題】
【０００４】
本発明の目的は、既に述べたホースクランプを、患者による、着用中もはや刺激として知覚されないように、更に開発することを含む。
【課題を解決するための手段】
【０００５】
この目的は、請求項１による特徴の組み合わせを有する、ホースクランプによって、本発明に従って解決される。従って、ホースクランプは、実質的には、切断側部を有する円筒形状を有し、円筒は、両側部で、両端部に向って円錐状にテーパしており、且つ端部は、挿入されるべきホースの円形形状に適合される。ホースクランプのこの新しい形状のアイデアは、基本的な形態が円筒に由来し、端部は円錐形にテーパするように構成されるという事実を含む。着用時中、できるだけ大きい快適さを可能にするためには、ホースクランプの形状を、ホースの形状に適合させる。
【０００６】
本発明の有利な態様は、主請求項に続く従属請求項から生じる。それにより、ホースクランプの全ての縁領域は、尖った縁および角を回避するように、丸くなっている。
【０００７】
好ましい実施形態では、ホースクランプの長さは、ホース直径の１０倍を超えない。丸いプラスチックボディの半径は、Ｒ２０とＲ１００との間にあるのが、更に有利である。
【０００８】
プラスチックボディは、長手方向軸線に対して５度乃至４０度の角度で、端部に向って延びるのが、更に有利である。これによって、ホースからクランプへの連続的な移行が、可能である。別の好ましい態様によれば、閉じた状態でのホースクランプの最も外側の点は、挿入されるべきホースの中心から、ホース直径の最大２倍離れている。これによって、患者にもはや刺激として知覚されない、ホースクランプの細い形状が構成される。
【０００９】
より簡単に取り扱うことができるために、把持面が、２本のアームの他のほぼ円筒外面に、切り取り形成されている。
【００１０】
有利には、フック止め機構が、一方では、ホースクランプの端部で、アームの自由端に向って面する突出部によって、他方では、アームの自由端に形成された接触縁によって形成される。この情況で、把持面が、ホースクランプの自由端で、突出部の上に形成され、把持面によって、ホースクランプの弾性端を、掛け止め位置から解放位置へ偏向させることができる。これによって、ホースクランプを、複数回開閉することができることが確保される。
【００１１】
本発明の更なる詳細と利点は、添付図面に示す実施形態を参照して、生じる。
【発明を実施するための最良の形態】
【００１２】
本発明の実施形態によるホースクランプ１０を図１に示す。ホースクランプ１０は、細長く延び、且つ２本のアーム１２と１４を有する、一体のプラスチックボディを備える。アームは、ホースクランプの端部１６で、互いに連結され、アーム１４が、無負荷状態でアーム１２に対して、角度αだけ偏向されるように、形づくられる。アーム１２と１４は各々、突出部１８、２０を有する。これらの突出部によって、ホースクランプが通されるホース部分を閉じることができる。アーム１４を、端部１６のバネ力に抗してアーム１２の方向に、回動させることができ、閉じた状態で、端部２２とフック止めすることができる。フック止め機構は、一方では、ホースクランプ１０の端部で、アームの自由端に面する突出部２４によって、他方では、アームの自由端に形成された接触縁２６によって、形成される。それぞれの相互に対応する傾斜部２８と３０は、接触縁２６の前端、および突出部２４のこれと対応する端に配置され、前記傾斜部は、アーム１４が押し下げられるとき、端部２２は、外に偏向されるので、接触縁２６が突出部２４の下に位置するようになり、ホースクランプは、閉じた状態にフック止めされる。
【００１３】
把持面３２が、ホースクランプの自由端に追加して形成され、ホースクランプの弾性端２２を、把持面３２によって、掛け止め位置から解放位置へ外に偏向させることができる。
【００１４】
図４に詳細に見られるように、それぞれの円形開口部３４が、前部２２の領域だけでなく、ここでは更に詳細には示さないが、後部１６にも設けられ、ホースあるいはカテーテルが、これらを通してホースクランプに導入される。
【００１５】
ホースクランプ１０は、切断側部を有する円筒形状に殆ど近い形状を有する。円筒は、両端１６と２２に向って円錐形状にテーパしており、それぞれの端部１６と２２は、各々、導入されるべきホースの形状に適合される、円形形状を有する。例えば、図３に従ってアーム１２のＡ−Ａ断面表示からの結果として、ホースクランプの全ての縁領域は、ここでは、丸くされる。
【００１６】
特に、図５と図６から知ることができるように、各場合において、平らな部分が、より簡単な取り扱い能力を可能にする把持面３６と３８として、アーム１２と１４の周囲に形成される。
【図面の簡単な説明】
【００１７】
【図１】本発明によるホースクランプの側面図である。
【図２】Ａ−Ａ断面線を入れた図１の側面図である。
【図３】図２のＡ−Ａ断面である。
【図４】図１のホースクランプの正面図である。
【図５】図１のホースクランプの上からの平面図である。
【図６】図５によるＢ−Ｂ断面である。
【図１】
2008528215.tif 000003
【図２】
2008528215.tif 000004
【図３】
2008528215.tif 000005
【図４】
2008528215.tif 000006
【図５】
2008528215.tif 000007
【図６】
2008528215.tif 000008
【国際調査報告】
2008528215.tif 000009
2008528215.tif 000010
2008528215.tif 000011
2008528215.tif 000012